(57)【要約】【課題】携帯情報端末装置を用いて機器を監視することができると共に、携帯情報端末装置における処理の負荷を軽減する。【解決手段】携帯情報端末装置は、入力部と、無線通信部と、画像データ記憶部と、画面生成部とを有する。入力部は、ユーザからの指示を受け付ける。無線通信部は、監視の対象の機器の状態を示す状態データを、サーバ装置から無線通信を介して受信する。画像データ記憶部は、機器を含む系統を示す系統図の画像データを記憶する。画面生成部は、指示に応じて画像データ記憶部から画像データを読み出し、受信された状態データと読み出された画像データとを合成して系統図画面を生成する。表示部は、系統図画面を表示する。【選択図】図６
2014021781.tif 000002
【特許請求の範囲】
【請求項１】
ユーザからの指示を受け付ける入力部と、
監視の対象の機器の状態を示す状態データを、サーバ装置から無線通信を介して受信する無線通信部と、
前記機器を含む系統を示す系統図の画像データを記憶する画像データ記憶部と、
前記指示に応じて前記画像データ記憶部から前記画像データを読み出し、前記受信された状態データと前記読み出された画像データとを合成して系統図画面を生成する画面生成部と、
前記系統図画面を表示する表示部と
を備える携帯情報端末装置。
【請求項２】
前記無線通信部は、前記系統図画面の表示の後、新たな状態データを前記サーバ装置から受信し、
前記画面生成部は、前記新たな状態データに基づいて、前記系統図画面を更新する、
請求項１に記載の携帯情報端末装置。
【請求項３】
前記状態データは、前記機器の状態を示す数値である、
請求項１又は２に記載の携帯情報端末装置。
【請求項４】
前記指示が前記機器の状態の時間変化の表示を示す場合、前記無線通信部は、前記指示に基づいて前記サーバ装置へ要求を送信することにより、前記サーバ装置から前記機器の時系列の状態を示す時系列データを受信し、
前記画面生成部は、前記時系列データに基づいて、前記機器の状態の時間変化を示すグラフ画面を生成し、
前記表示部は、前記グラフ画面を表示する、
請求項１乃至３の何れか一項に記載の携帯情報端末装置。
【請求項５】
前記指示が警報の表示を示す場合、前記無線通信部は、前記指示に基づいて前記サーバ装置へ要求を送信することにより、前記サーバ装置から警報を示す警報データを受信し、
前記画面生成部は、前記警報データに基づいて、前記警報を示す警報画面を生成し、
前記表示部は、前記警報画面を表示する、
請求項１乃至４の何れか一項に記載の携帯情報端末装置。
【請求項６】
前記指示により、前記系統図画面、グラフ画面、及び前記警報画面を含む複数の画面の中の一つの画面が選択された場合、前記無線通信部は、前記選択された画面に用いるデータの要求を前記サーバ装置へ送信する、
請求項１乃至５の何れか一項に記載の携帯情報端末装置。
【請求項７】
機器の監視により得られる監視データを受信する受信部と、
前記機器を含む系統を示す系統図を示しており携帯情報端末装置に格納されている画像データに関し、前記画像データに付加されて前記携帯情報端末装置により表示される状態データを、前記監視データに基づいて生成するデータ生成部と、
前記状態データを前記携帯情報端末装置へ送信する通信部と
を備えるサーバ装置。
【請求項８】
前記受信部が新たな監視データを受信した場合、前記データ生成部は、前記新たな監視データに基づいて、新たな状態データを生成し、
前記通信部は、前記新たな状態データを前記携帯情報端末装置へ送信する、
請求項７に記載のサーバ装置。
【請求項９】
前記機器の時系列の状態を示す時系列データを記憶する時系列データ記憶部を更に備え、
前記通信部が、前記携帯情報端末装置から前記時系列データの要求を受信した場合、前記時系列データ記憶部に記憶されている時系列データを前記携帯情報端末装置へ送信する、
請求項７又は８に記載のサーバ装置。
【請求項１０】
サーバ装置が、機器の監視により得られる監視データを受信し、
前記サーバ装置が、前記機器を含む系統を示す系統図を示しており携帯情報端末装置に格納されている画像データについて、前記画像データに付加されて前記携帯情報端末装置により表示される状態データを、前記監視データに基づいて生成し、
前記サーバ装置が、前記状態データを前記携帯情報端末装置へ送信し、
携帯情報端末装置が、ユーザからの指示を受け付け、
前記携帯情報端末装置が、前記サーバ装置から無線通信を介して前記状態データを受信し、
前記携帯情報端末装置が、前記指示に応じて、前記画像データを記憶する画像データ記憶部から前記画像データを読み出し、
前記携帯情報端末装置が、前記受信された状態データと前記読み出された画像データとを合成して系統図画面を生成し、
前記携帯情報端末装置が、前記系統図画面を表示する
ことを備える機器監視方法。
【発明の詳細な説明】
【技術分野】
【０００１】
本発明は、通信を介して機器を監視する技術に関する。
【背景技術】
【０００２】
従来、火力発電所等のプラントにおいては、センサがプラントの温度、圧力、流量などのプロセス値、バルブなどの開閉情報などの状態、警報信号等の情報（以下、監視制御情報）を取得し、制御装置が監視制御情報を計算又は編集し、所内のネットワークを介して計算機へ送信する。中央制御室内の運転員は、計算機に接続されたＨＭＩ（Human Machine Interface）を利用してプラントを管理する。
【先行技術文献】
【特許文献】
【０００３】
【特許文献１】特開２００３−３４５４３１号公報
【特許文献２】特開２００１−６７１１４号公報
【発明の概要】
【発明が解決しようとする課題】
【０００４】
無線通信により機器の監視のための画像データをサーバ装置から携帯情報端末装置へ送信する場合、送受信の負荷により携帯情報端末装置における表示に遅延が生じる場合がある。
【課題を解決するための手段】
【０００５】
上記課題を解決するため、本発明の一態様である携帯情報端末装置は、入力部と、無線通信部と、画像データ記憶部と、画面生成部とを有する。入力部は、ユーザからの指示を受け付ける。無線通信部は、監視の対象の機器の状態を示す状態データを、サーバ装置から無線通信を介して受信する。画像データ記憶部は、機器を含む系統を示す系統図の画像データを記憶する。画面生成部は、指示に応じて画像データ記憶部から画像データを読み出し、受信された状態データと読み出された画像データとを合成して系統図画面を生成する。表示部は、系統図画面を表示する。
【０００６】
また、本発明の一態様であるサーバ装置は、受信部と、データ生成部と、通信部とを有する。受信部は、機器の監視により得られる監視データを受信する。データ生成部は、機器を含む系統を示す系統図を示しており携帯情報端末装置に格納されている画像データに関し、画像データに付加されて携帯情報端末装置により表示される状態データを、監視データに基づいて生成する。通信部は、状態データを携帯情報端末装置へ送信する。
【発明の効果】
【０００７】
本発明によれば、携帯情報端末装置を用いて機器を監視することができると共に、携帯情報端末装置における処理の負荷を軽減することができる。
【図面の簡単な説明】
【０００８】
【図１】図１は、第１の監視制御システムの構成を示す。
【図２】図２は、計算機３０１の構成を示す。
【図３】図３は、系統図画面を示す。
【図４】図４は、トレンドグラフ画面を示す。
【図５】図５は、警報画面を示す。
【図６】図６は、第２の監視制御システムの構成を示す。
【図７】図７は、Ｗｅｂサーバ１５の構成を示す。
【図８】図８は、端末用データ管理処理を示す。
【図９】図９は、遠隔情報端末１７の構成を示す。
【図１０】図１０は、監視画面表示処理を示す。
【図１１】図１１は、メニュー画面を示す。
【図１２】図１２は、系統選択画面を示す。
【図１３】図１３は、監視制御情報グループ選択画面を示す。
【発明を実施するための形態】
【０００９】
以下、火力発電プラントの監視制御システムについて説明する。
【００１０】
ここでは、遠隔情報端末を用いない第１の監視制御システムの構成について説明する。
【００１１】
図１は、第１の監視制御システムの構成を示す。監視制御システムは、計算機３０１、ＨＭＩ３０２、ルータ３０３、所内ネットワーク３０４、制御装置３０５、計測器３０６、制御器３０７、ＰＣ（Personal Computer）４０１、表示装置４０２を有する。計算機３０１及び複数の制御装置３０５は、ルータ３０３を介して、通信ネットワークである所内ネットワーク３０４に接続されている。
【００１２】
計測器３０６は、制御装置３０５に接続されており、計測結果に基づいて監視制御情報を生成して制御装置３０５へ送信する。監視制御情報は例えば、プラント内の機器の温度、圧力、流量などのプロセス値、バルブなどの開閉情報などの状態、警報信号等である。計測器３０６は例えば、機器に設けられているセンサである。制御装置３０５は、受信した監視制御情報について計算処理を行い、計算処理結果に基づいて制御器３０７を制御する。制御器３０７は、制御装置３０５からの指示に従ってプラント内の機器を制御する。制御器３０７は、制御装置３０５に接続されており、制御結果に基づいて監視制御情報を生成して制御装置３０５へ送信する。また、制御装置３０５は、ルータ３０３及び所内ネットワーク３０４を介して計算機３０１へ監視制御情報を送信する。
【００１３】
以下、計算機３０１の構成について説明する。
【００１４】
図２は、計算機３０１の構成を示す。計算機３０１は、監視制御情報送受信部３０８、演算部３０９、系統図画像データベース３１３、プラントデータデータベース３１４を有する。
【００１５】
監視制御情報送受信部３０８は、所内ネットワーク３０４より監視制御情報を受信し、制御器３０７への制御指令を送信する。演算部３０９は、監視制御情報送受信部３０８により送受信された監視制御情報を表示するための計算処理を行う。プラント監視制御機能は例えば、系統図画面を生成する系統図処理部３１０、トレンドグラフ画面を生成するトレンドグラフ処理部３１１、警報画面を生成する警報処理部３１２である。
【００１６】
系統図処理部３１０は、画像データ合成部１０１と、系統図選択部１０２とを有する。トレンドグラフ処理部３１１は、トレンドグラフ選択部１１２と、トレンドグラフ表示作成部１１１とを有する。警報処理部３１２は、警報画面作成部１２１を有する。
【００１７】
プラントデータデータベース３１４は、監視制御情報に対して、信号を管理するための番号、信号の名称、アナログ又はデジタルを示す信号の種別、監視制御情報送受信部３０８により受信された監視制御情報とプラントデータデータベース２１４を結びつけるためのアドレス番号を格納している。監視制御情報とプラントデータデータベース３１４の内容はアドレス番号により結び付けられ、プラント監視制御機能により用いられる。
【００１８】
ＨＭＩ３０２は、計算機３０１のユーザからの入力を受け付ける入力部３２１と、計算機３０１により生成された監視画面をユーザへ表示する出力部３２２とを有する。ＨＭＩ３０２は例えば、火力発電プラントの中央制御室に設けられている。計算機３０１のユーザは例えば、中央制御室内の運転員である。出力部３２２は、ＣＲＴ（Cathode Ray Tube）やＬＣＤ（Liquid Crystal Display）等である。監視画面は例えば、系統図画面、トレンドグラフ画面、警報画面等である。出力部３２２は、監視画面を切り替えながら表示画面に表示しても良いし、表示画面を複数の領域に分割し、複数の領域に複数の監視画面を夫々表示しても良い。
【００１９】
ここでは、系統図画面について説明する。
【００２０】
図３は、系統図画面を示す。系統図画面は例えば、信号表示部４１１、機器表示部４１２、バルブ表示部４１３、端子表示部４１４、機器状態表示部４１５、バルブ状態表示部４１６を有する。信号表示部４１１は、入力される信号の名称や状態等を示す。機器表示部４１２は、対象の系統に含まれる機器の形状、状態等を示す。機器は、例えばタービンである。バルブ表示部４１３は、バルブの形状、状態等を示す。端子表示部４１４は、出力先の機器の管理番号等を示す。プラント内の監視及び制御の対象の機器には、予め管理番号が付されている。機器状態表示部４１５は、機器の名称、管理番号、状態等を示す。機器の状態は例えば、数値で表される。バルブ状態表示部４１６は、バルブの名称、管理番号、状態等を示す。バルブの状態は例えば、開、閉、数値等で表される。また、バルブ状態表示部４１６は、バルブ表示部４１３上の色として、バルブの状態を示しても良い。信号表示部４１１、機器表示部４１２、バルブ表示部４１３、端子表示部４１４は、画像で表される。これらの画像は、系統毎に系統図画像データとして、系統図画像データベース３１３に予め格納されている。
【００２１】
ユーザから入力部３２１へ入力された指示に応じて、系統図選択部１０２は、合成指令を画像データ合成部１０１へ送る。画像データ合成部１０１は、合成指令に応じて、次の処理を実行することにより、系統図画面を生成する。まず、画像データ合成部１０１は、系統図画像データベース３１３から系統図のための画像データである系統図画像データを読み込む。系統図画像データは、系統図の対象に含まれている機器の形状や機器のシンボルを示す画像データである。次に、画像データ合成部１０１は、プラントデータデータベース３１４から系統図画面に表示する監視制御情報の定義情報を読み込む。定義情報は例えば、監視制御情報の対象の機器の管理番号や、対象の信号の種類や、単位や、送り先の機器の管理番号、監視画面上で当該監視制御情報を表示させる位置、対象のシンボルの種類等を示す。次に、画像データ合成部１０１は、読み込まれた定義情報に従って、監視制御情報送受信部３０８から監視制御情報の現在値を読み込む。次に、画像データ合成部１０１は、画像データに定義情報及び現在値を合成することにより系統図画面を生成する。
【００２２】
ここでは、トレンドグラフ画面について説明する。
【００２３】
図４は、トレンドグラフ画面を示す。トレンドグラフは例えば、時間変化表示部４２１、一覧表示部４２２を有する。時間変化表示部４２１は、或る監視制御情報グループに属する監視制御情報の曲線を示す。各曲線は、対応する監視制御情報の時間変化を示す。即ち横軸は時刻を示し、縦軸は各監視制御情報の値を示す。監視制御情報グループは例えば、或る系統や機器に関する監視制御情報のグループである。監視制御情報のサンプルの時間間隔は、例えば１秒である。一覧表示部４２２は、当該監視制御情報グループに属する監視制御情報の名称、番号、値、単位等を示す。監視制御情報は例えば、ボイラーの温度、発電量、水や空気の流量等である。時間変化表示部４２１内の各曲線には番号が付され、その番号は一覧表示部４２２内の番号に対応付けられている。
【００２４】
ユーザから入力部３２１へ入力された指示に応じて、トレンドグラフ選択部１１２は、表示するトレンドグラフを決定する。次に、トレンドグラフ表示作成部１１１は、決定されたトレンドグラフに従って、監視制御情報送受信部３０８から監視制御情報の現在値を読み込む。次に、トレンドグラフ表示作成部１１１は、読み込まれた現在値を用いてトレンドグラフを作成して出力部３２２に表示させる。
【００２５】
ここでは、警報画面について説明する。
【００２６】
図５は、警報画面を示す。警報画面は、警報の一覧表を示す。また、警報画面は、警報毎のエントリを有する。これらのエントリは時間順に並べられている。各エントリは、警報を示し、当該警報の番号、当該警報の名称、当該警報の対象の状態、当該警報が発せられた時刻を示す。警報は例えば、計算機３０１や制御装置３０５に故障が発生したこと、ボイラーの温度が上限より高いこと、ボイラーの温度が下限より低いこと等を示す。
【００２７】
警報画面作成部１２１は、監視制御情報送受信部３０８から監視制御情報のうち警報を読み込み、出力部３２２に表示させる。
【００２８】
以下、本発明の適用例であり、遠隔情報端末を用いる第２の監視制御システムについて説明する。
【００２９】
図６は、第２の監視制御システムの構成を示す。第１の監視制御システムと比較すると、第２の監視制御システムは、計算機３０１の代わりにＷｅｂサーバ１５を有し、新たに無線ルータ１６と遠隔情報端末１７とを有する。
【００３０】
Ｗｅｂサーバ１５は、無線ルータ１６を介して無線通信により遠隔情報端末１７へ監視制御情報を送信する。遠隔情報端末１７は、出力部３２２と同様の監視画面を表示する。遠隔情報端末１７は、火力発電プラント内に複数存在する。
【００３１】
以下、Ｗｅｂサーバ１５の構成について説明する。
【００３２】
図７は、Ｗｅｂサーバ１５の構成を示す。Ｗｅｂサーバ１５は、遠隔情報端末１７へ送信するためのデータの作成と、無線ルータ１６を通した遠隔情報端末１７へのデータの送信及び遠隔情報端末１７からのデータの受信とを実行する。Ｗｅｂサーバ１５の構成要素のうち、計算機３０１の構成要素と同一の符号が付された構成要素は、同一又は相当物を示す。
【００３３】
Ｗｅｂサーバ１５は、計算機３０１の構成に加えて、端末用フレームワーク１８を有する。端末用フレームワーク１８は、遠隔情報端末１７に監視画面を表示させるための機能であり、複数種類の監視画面に共通の機能である。端末用フレームワーク１８は、転写部１８１、データ変換部１８２、端末用インタフェース１８３、端末用データベース１８４を有する。端末用フレームワーク１８は例えば、Ｗｅｂサーバ１５のメモリ内に格納されたプログラムにより実現される。
【００３４】
Ｗｅｂサーバ１５は例えば、コンピュータである。このコンピュータは、マイクロプロセッサとメモリと通信インタフェースとを有する。メモリ内に格納されているプログラムは、マイクロプロセッサをＷｅｂサーバ１５として機能させる。通信インタフェースは、ルータ３０３や無線ルータ１６に接続されている。
【００３５】
以下、端末用フレームワーク１８による端末用データ管理処理について説明する。
【００３６】
図８は、端末用データ管理処理を示す。端末用フレームワーク１８は以下の端末用データ管理処理を所定の時間間隔毎に繰り返し実行する。
【００３７】
まず転写部１８１は、監視制御情報送受信部３０８により受信された監視制御情報を、監視制御情報送受信部３０８から取得してコピーする（Ｓ１１）。更に転写部１８１は、監視制御情報の名称、管理用番号、信号の上下限値などの付加情報を、プラントデータデータベース３１４から取得してコピーする。
【００３８】
次にデータ変換部１８２は、転写部１８１によりコピーされた監視制御情報及び付加情報を変換することにより、遠隔情報端末１７へ送信するための端末用データを生成する（Ｓ１２）。端末用データは監視制御情報から得られるデータであり、監視の対象の機器の状態を示す。端末用データは、系統図画面に用いられる機器データ、トレンドグラフ画面に用いられる時系列データ、警報画面に用いられる警報データを含む。端末用データは例えば、監視制御情報内の数値である。また、端末用データは、監視制御情報内の文字を含んでも良い。更にデータ変換部１８２は、転写部１８１からの情報のうち、トレンドグラフに用いられる端末用データなど時系列の端末用データを、端末用データベース１８４へ保存する。端末用データベース１８４へ蓄積されるデータは例えば、数時間分である。トレンドグラフへ蓄積される端末用データは例えば、トレンドグラフにおける各点の座標を示す。
【００３９】
次に端末用インタフェース１８３は、遠隔情報端末１７からの要求を受信したか否かを判定する（Ｓ１３）。
【００４０】
遠隔情報端末１７からの要求を受信していない場合（Ｓ１３：Ｎｏ）、端末用フレームワーク１８は、このフローを終了する。
【００４１】
遠隔情報端末１７からの要求を受信した場合（Ｓ１３：Ｙｅｓ）、端末用フレームワーク１８は、端末用インタフェース１８３は、この要求に従いデータ変換部１８２から端末用データを取得し、遠隔情報端末１７へ送信し（Ｓ１４）、このフローを終了する。端末用インタフェース１８３が時系列データの要求を受けた場合、端末用インタフェース１８３は、端末用データベース１８４から時系列データを取得して遠隔情報端末１７へ送信する。
【００４２】
以上が端末用データ管理処理である。
【００４３】
また、Ｗｅｂサーバ１５は、系統図画面の要求を遠隔情報端末１７から受信すると、その後、所定の時間間隔毎に、系統図画面のための機器データを送信する。また、Ｗｅｂサーバ１５は、トレンドグラフのための時系列データを端末用データベース１８４へ蓄積する。また、監視制御情報送受信部３０８が監視制御情報を受信する度に、データ変換部１８２が受信された監視制御情報に基づく端末用データを生成する。
【００４４】
なお、データ変換部１８２は、監視制御情報送受信部３０８により受信された監視制御情報をそのまま端末用データとして端末用インタフェース１８３又は端末用データベース１８４へ送っても良いし、受信された監視制御情報の一部を端末用データとして端末用インタフェース１８３又は端末用データベース１８４へ送っても良い。
【００４５】
以下、遠隔情報端末１７の構成について説明する。
【００４６】
図９は、遠隔情報端末１７の構成を示す。遠隔情報端末１７は、無線通信インタフェース２０、系統図画像データベース２１、プラントデータデータベース２２、演算部２３、入出力部２７を有する。
【００４７】
入出力部２７は、演算部２３により生成された画面を表示し、ユーザからの入力を受けつけて演算部２３へ送る。入出力部２７は例えば、タッチパネルを有するディスプレイである。遠隔情報端末１７のユーザは例えば、プラント内の監視員である。
【００４８】
演算部２３は、データ更新部２８、系統図処理部２４、トレンドグラフ処理部２５、警報処理部２６、選択部２９を有する。
【００４９】
系統図画像データベース２１は、遠隔情報端末１７において表示する系統図画像データを予め格納する。この系統図画像データは、系統図画像データベース３１３と同様であるが、遠隔情報端末１７の画面サイズに合わせられている。
【００５０】
無線通信インタフェース２０は、無線通信を行うことによりＷｅｂサーバ１５へ要求を送信し、Ｗｅｂサーバ１５から表示に必要なデータを受信する。無線通信インタフェース２０は、プラント内の無線ＬＡＮ（local area network）のインタフェースであっても良いし、公衆無線通信網のインタフェースであっても良い。
【００５１】
プラントデータデータベース２２は、無線通信インタフェース２０によりＷｅｂサーバ１５から受信された監視制御情報の定義情報を格納する。
【００５２】
データ更新部２８は、無線通信インタフェース２０がＷｅｂサーバ１５から端末用データを受信した場合、受信された端末用データを画像データ合成部２４１へ送り、系統図画面を更新させることにより、系統図画面内に表示されている端末用データを更新させる。また、データ更新部２８は、無線通信インタフェース２０がＷｅｂサーバ１５から定義情報を受信した場合、受信された定義情報を用いてプラントデータデータベース２２を更新する。
【００５３】
遠隔情報端末１７は例えば、携帯電話機、スマートフォン、タブレット端末等の携帯情報端末装置である。この携帯情報端末装置は、マイクロプロセッサとメモリと無線通信インタフェース２０とを有する。メモリ内に格納されているプログラムは、マイクロプロセッサを遠隔情報端末１７として機能させる。
【００５４】
以下、演算部２３による監視画面表示処理について説明する。
【００５５】
図１０は、監視画面表示処理を示す。入出力部２７が遠隔情報端末１７のユーザから監視画面表示処理の開始の指示を受けると、演算部２３は、監視画面表示処理を開始する。
【００５６】
まず選択部２９は、監視画面の種類を選択するためのメニュー画面を入出力部２７に表示させる。図１１は、メニュー画面を示す。メニュー画面は、監視画面の種類の一覧を示す。即ち、メニュー画面は選択肢として例えば、系統図画面、トレンドグラフ画面、警報画面を示す。選択部２９は、メニュー画面で選択された監視画面の種類を入出力部２７から取得し、その種類に応じて、系統図処理部２４、トレンドグラフ処理部２５、警報処理部２６の何れかに監視画面の生成を指示する（Ｓ２１）。ここで、系統図処理部２４、トレンドグラフ処理部２５、警報処理部２６のうち、選択された監視画面の種類に対応する機能を対象処理部と呼ぶ。
【００５７】
次に選択部２９は、選択された監視画面の表示対象を決定する（Ｓ２２）。選択された監視画面が系統図画面又はトレンドグラフ画面である場合、選択部２９は、表示対象を選択するための表示対象選択画面を入出力部２７に表示させる。
【００５８】
系統図画面が選択された場合、表示対象は、例えば系統図画面の対象となる系統である。この場合の表示対象選択画面は、系統選択画面である。図１２は、系統選択画面を示す。系統は例えば、燃料系統やタービン等を示す。ユーザは、入出力部２７を用いて、監視制御情報グループ選択画面に表示された複数の監視制御情報グループを指定する。
【００５９】
トレンドグラフ画面が選択された場合、表示対象は、例えばトレンドグラフ画面に表示される監視制御情報グループである。この場合の表示対象選択画面は、監視制御情報グループ選択画面である。図１３は、監視制御情報グループ選択画面を示す。監視制御情報グループは例えば、或る系統に関する監視制御情報のグループである。ユーザは、入出力部２７を用いて、監視制御情報グループ選択画面に表示された複数の監視制御情報グループを指定する。
【００６０】
選択部２９は、表示対象選択画面で選択された表示対象を入出力部２７から取得する。選択された監視画面が警報画面である場合、表示対象は、警報画面である。この場合、選択部２９は、表示対象選択画面を表示させずに警報画面を表示させる。
【００６１】
次に対象処理部は、プラントデータデータベース２２から監視画面に表示する端末用データの定義情報を取得する（Ｓ２３）。次に無線通信インタフェース２０は、Ｗｅｂサーバ１５から監視画面に必要な端末用データを取得する（Ｓ２４）。ここで、無線通信インタフェース２０は、Ｗｅｂサーバ１５へ端末用データの要求を送信することにより、Ｗｅｂサーバ１５が前述のＳ１３及びＳ１４の処理を行う。これにより、無線通信インタフェース２０は、Ｗｅｂサーバ１５から端末用データを受信する。また、系統図画面のための機器データの要求を送信した後、無線通信インタフェース２０は、所定の時間間隔毎に、Ｗｅｂサーバ１５から機器データを受信する。次に対象処理部は、取得された端末用データに基づいて監視画面を生成し、監視画面を入出力部２７に表示させる（Ｓ２５）。
【００６２】
演算部２３は、入出力部２７がユーザから監視画面表示処理の終了の指示を受けたか否かを判定する（Ｓ２６）。
【００６３】
終了の指示を受けていない場合（Ｓ２６：Ｎｏ）、演算部２３は、処理をＳ２４へ移行させる。
【００６４】
終了の指示を受けた場合（Ｓ２６：Ｙｅｓ）、演算部２３は、このフローを終了させる。
【００６５】
ここで、前述のＳ２５における各監視画面の生成方法について説明する。
【００６６】
系統図処理部２４は、系統選択画面で選択された系統の系統図画面を生成する。系統図処理部２４は、画像データ合成部２４１と、系統図選択部２４２とを有する。遠隔情報端末１７に表示される各監視画面の構成は、ＨＭＩ３０２に表示される各監視画面の構成と同様であるが、画面サイズに合わせて調整されている。
【００６７】
系統図選択部２４２は、選択された系統図画面の合成指令を画像データ合成部２４１へ送る。次に、無線通信インタフェース２０は、選択された系統図画面に属する機器データの要求をＷｅｂサーバ１５へ送信する。画像データ合成部２４１は、合成指令に応じて、次の処理を実行することにより、系統図画面を生成する。まず、画像データ合成部２４１は、系統図画像データベース２１から系統図のための画像データを読み込む。次に、画像データ合成部２４１は、プラントデータデータベース２２から系統図に表示する端末用データの定義情報を読み込む。次に、画像データ合成部２４１は、読み込まれた定義情報に従って、無線通信インタフェース２０から端末用データのうち機器データを読み込む。機器データは例えば、機器の状態の現在値を示す。次に、画像データ合成部２４１は、画像データに定義情報及び現在値を合成することにより系統図画面を生成して、入出力部２７に表示させる。
【００６８】
系統図画像データベース２１が、系統図画面に表示される画像データを予め格納していることにより、Ｗｅｂサーバ１５から遠隔情報端末１７へ画像データを送信する必要がない。
【００６９】
トレンドグラフ処理部２５は、監視制御情報グループ選択画面で選択された監視制御情報グループの時間変化を示すトレンドグラフ画面を生成する。トレンドグラフ処理部２５は、トレンドグラフ表示作成部２５１と、トレンドグラフ選択部２５２とを有する。
【００７０】
トレンドグラフ選択部２５２は、選択された監視制御情報グループを表示するためのトレンドグラフを選択する。次に、無線通信インタフェース２０は、選択された監視制御情報グループに属する時系列データの要求をＷｅｂサーバ１５へ送信する。次に、トレンドグラフ表示作成部２５１は、選択されたトレンドグラフに従って、端末用データのうち、選択された監視制御情報グループに属する時系列データを無線通信インタフェース２０から読み込む。次に、トレンドグラフ表示作成部２５１は、読み込まれた時系列データを用いてトレンドグラフ画面を作成して、入出力部２７に表示させる。なお、データ更新部２８は、最新の端末用データをトレンドグラフ表示作成部２５１へ送り、トレンドグラフ画面を更新させることにより、トレンドグラフ画面内に表示されている端末用データを更新させても良い。
【００７１】
警報処理部２６は、起動されると、警報画面を生成する。警報処理部２６は、警報画面作成部２６１を有する。
【００７２】
無線通信インタフェース２０は、警報データの要求をＷｅｂサーバ１５へ送信する。警報画面作成部２６１は、無線通信インタフェース２０から端末用データのうち警報データを読み込み、入出力部２７に表示させる。なお、データ更新部２８は、最新の警報データを警報画面作成部２６１へ送り、警報画面を更新させることにより、警報画面内に表示されている警報データを更新させても良い。
【００７３】
以上が各監視画面の生成方法である。
【００７４】
なお、端末用データは、監視制御情報であっても良いし、監視制御情報の一部であっても良い。
【００７５】
計算機３０１やＷｅｂサーバ１５の性能に比べて遠隔情報端末１７の性能は低い。もしＷｅｂサーバ１５が系統図のための画像データを更新時間間隔毎に遠隔情報端末１７へ送信するとすると、遠隔情報端末１７における送受信等の負荷により、系統図の更新に遅延が生じる場合がある。本実施例によれば、遠隔情報端末１７が表示するための画像データを予め記憶することにより、Ｗｅｂサーバ１５は端末用データを遠隔情報端末１７へ送信する。従って、Ｗｅｂサーバ１５が画像データを送信する場合に比べて送信データの情報量が少なくて済み、遠隔情報端末１７の負荷が低くなる。これにより、遠隔情報端末１７は、プラント状態のリアルタイム表示が可能となる。これにより、遠隔情報端末１７のユーザが、プラント内の自由な場所でプラントの監視を行うことができる。
【００７６】
また、第１の監視制御システムにおいて、制御装置３０５や計算機３０１等の通信装置が、プラント内の専用ネットワークを介して監視制御情報を送受信する場合、各通信装置の定義情報に監視制御情報の送信先及び受信先を定義する必要がある。前述の第２の監視制御システムのように、遠隔情報端末１７を導入するためにＷｅｂサーバ１５を構築する場合、プラント内の全ての通信装置の送受信の定義情報にＷｅｂサーバ１５を定義する必要があるため、作業量が多く、作業が容易ではないという問題がある。本実施例によれば、計算機３０１に端末用フレームワーク１８としてＷｅｂサーバ機能を追加することによりＷｅｂサーバ１５を構築することができる。これにより、監視制御システム全体の装置で定義情報の変更等を行う必要が無いため、改造が最小限で済む。
【００７７】
以上の実施例で説明された技術は、次のように表現することができる。
【００７８】
（表現１）
ユーザからの指示を受け付ける入力部と、
監視の対象の機器の状態を示す状態データを、サーバ装置から無線通信を介して受信する無線通信部と、
前記機器を含む系統を示す系統図の画像データを記憶する画像データ記憶部と、
前記指示に応じて前記画像データ記憶部から前記画像データを読み出し、前記受信された状態データと前記読み出された画像データとを合成して系統図画面を生成する画面生成部と、
前記系統図画面を表示する表示部と
を備える携帯情報端末装置。
【００７９】
（表現２）
機器の監視により得られる監視データを受信する受信部と、
前記機器を含む系統を示す系統図を示しており携帯情報端末装置に格納されている画像データに関し、前記画像データに付加されて前記携帯情報端末装置により表示される状態データを、前記監視データに基づいて生成するデータ生成部と、
前記状態データを前記携帯情報端末装置へ送信する通信部と
を備えるサーバ装置。
【００８０】
（表現３）
サーバ装置が、機器の監視により得られる監視データを受信し、
前記サーバ装置が、前記機器を含む系統を示す系統図を示しており携帯情報端末装置に格納されている画像データについて、前記画像データに付加されて前記携帯情報端末装置により表示される状態データを、前記監視データに基づいて生成し、
前記サーバ装置が、前記状態データを前記携帯情報端末装置へ送信し、
携帯情報端末装置が、ユーザからの指示を受け付け、
前記携帯情報端末装置が、前記サーバ装置から無線通信を介して前記状態データを受信し、
前記携帯情報端末装置が、前記指示に応じて、前記画像データを記憶する画像データ記憶部から前記画像データを読み出し、
前記携帯情報端末装置が、前記受信された状態データと前記読み出された画像データとを合成して系統図画面を生成し、
前記携帯情報端末装置が、前記系統図画面を表示する
ことを備える機器監視方法。
【００８１】
（表現４）
サーバ装置と、
前記サーバ装置との無線通信を行う携帯情報端末装置と
を備え、
前記携帯情報端末装置は、
ユーザからの指示を受け付ける入力部と、
監視の対象の機器の状態を示す状態データを、前記サーバ装置から無線通信を介して受信する無線通信部と、
前記機器を含む系統を示す系統図の画像データを記憶する画像データ記憶部と、
前記指示に応じて前記画像データ記憶部から前記画像データを読み出し、前記受信された状態データと前記読み出された画像データとを合成して系統図画面を生成する画面生成部と、
前記系統図画面を表示する表示部と
を有し、
前記サーバ装置は、
前記機器の監視により得られる監視データを受信する受信部と、
前記監視データに基づいて前記状態データを生成するデータ生成部と、
前記状態データを前記携帯情報端末装置へ送信する通信部と
を有する
機器監視システム。
【００８２】
これらの表現における用語について説明する。携帯情報端末装置は例えば、遠隔情報端末１７に対応する。サーバ装置は例えば、Ｗｅｂサーバ１５に対応する。状態データは例えば、端末用データに対応する。無線通信部は例えば、無線通信インタフェース２０に対応する。画像データ記憶部は例えば、系統図画像データベース２１に対応する。画面生成部は例えば、演算部２３に対応する。表示部は例えば、入出力部２７に対応する。画像データは例えば、系統図画像データに対応する。グラフ画面は例えば、トレンドグラフ画面に対応する。受信部は例えば、監視制御情報送受信部３０８に対応する。データ生成部は例えば、転写部１８１、データ変換部１８２に対応する。通信部は、端末用インタフェース１８３に対応する。時系列データ記憶部は例えば、端末用データベース１８４に対応する。
【符号の説明】
【００８３】
１５：Ｗｅｂサーバ、  １６：無線ルータ、  １７：遠隔情報端末、  １８：端末用フレームワーク、  １９：データ更新部、  ２０：無線通信インタフェース、  ２１：系統図画像データベース、  ２２：プラントデータデータベース、  ２３：演算部、  ２４：系統図処理部、  ２５：トレンドグラフ処理部、  ２６：警報処理部、  ２７：入出力部、  ２８：データ更新部、  ２９：選択部、  １８１：転写部、  １８２：データ変換部、  １８３：端末用インタフェース、  １８４：端末用データベース、  ２１４：プラントデータデータベース、  ２４１：画像データ合成部、  ２４２：系統図選択部、  ２５１：トレンドグラフ表示作成部、  ２５２：トレンドグラフ選択部、  ２６１：警報画面作成部。
【図１】
2014021781.tif 000003
【図２】
2014021781.tif 000004
【図３】
2014021781.tif 000005
【図４】
2014021781.tif 000006
【図５】
2014021781.tif 000007
【図６】
2014021781.tif 000008
【図７】
2014021781.tif 000009
【図８】
2014021781.tif 000010
【図９】
2014021781.tif 000011
【図１０】
2014021781.tif 000012
【図１１】
2014021781.tif 000013
【図１２】
2014021781.tif 000014
【図１３】
2014021781.tif 000015